(57)【特許請求の範囲】
【請求項１】
同軸ケーブル引出しタイプの通信用分配装置において、
先端外側にネジ部が設けられたシェルを備え、前記同軸ケーブルの先端部に装着されて該同軸ケーブルの外導体と接続される同軸接栓構造の接続構体と、前記シェルの先端部が挿入される複数の構体装着穴を備えたケース本体と、前記ケース本体の構体装着穴に挿入されたシェル先端のネジ部に螺着され、前記接続構体を前記ケース本体に固定する固定ナットと、前記ケース本体と固定ナットとの間に介在して前記シェルの先端部に保持されるアース板と、前記ケース本体上に設けられ、前記シェル先端から導出された同軸ケーブルの中心導体が接続されるプリント基板と、前記プリント基板上に配設され、前記同軸ケーブルの中心導体及び前記プリント基板に接続されて分配回路を構成する回路部品と、前記ケース本体に装着されるカバーとを具備することを特徴とする通信用分配装置。
【請求項２】
前記接続構体は、シェルと、該シェル内に収納されるクランプ、ガスケット、座金及び前記シェルの開口部に螺着される押しナットにより構成され、前記シェル内に挿入される同軸ケーブルの外導体を前記シェルの内壁とクランプの間に介在させ、前記ガスケット及び座金を介して押しナットを螺着して固定することを特徴とする請求項１に記載の通信用分配装置。
【請求項３】
前記接続構体は、シェルの先端部に回り止め用のカット面を設けたことを特徴とする請求項１又は２に記載の通信用分配装置。
【発明の詳細な説明】
【技術分野】
【０００１】
本発明は、同軸ケーブル引出しタイプの通信用分配装置に関する。
【背景技術】
【０００２】
防災無線等の無線通信における基地局あるいは中継局では、多段構成のアンテナあるいは複数のアンテナを鉄塔上に設置し、送信機から出力される信号を分配装置により各アンテナに分配給電することで所望の指向性、例えば無指向性が得られるようにしている（例えば、特許文献１参照。）。また、上記分配装置は、複数のアンテナで受信した信号を合成する作用も有している。
【０００３】
上記のように複数のアンテナに送信信号を分配する分配装置は、鉄塔上に設けられるアンテナの近くに設置されるもので、同軸ケーブル引出しタイプのものが一般に使用されている。
【０００４】
上記同軸ケーブル引出しタイプの通信用分配装置は、図５に示すように構成されている。図５は信号を２分配する場合の例を示したもので、（ａ）は要部を断面して示す側面図、（ｂ）は（ａ）のＡ−Ａ線矢視断面図である。
【０００５】
図５において、１１は合成側の入出力接栓、１２ａ、１２ｂは分岐側の入出力接栓で、それぞれ同軸ケーブル１３、１４ａ、１４ｂを介して２分配器１５に接続される。
【０００６】
２分配器１５は、ベース１６の裏面に底板１７がネジ１８により固定され、ベース１６の上面にアース板１９が装着される。上記ベース１６、底板１７及びアース板１９には、入出力用の同軸ケーブル１３を導入するための透孔２１が設けられると共に、分岐用の同軸ケーブル１４ａ、１４ｂを導入するための透孔（図示せず）が設けられる。
【０００７】
上記入出力用の同軸ケーブル１３は、ベース１６、底板１７及びアース板１９に設けられた透孔２１に挿入され、アース板１９の上部の導出される。この場合、ベース１６の底部には、入出力用の同軸ケーブル１３の周囲にＯリング２２が設けられる。
【０００８】
また、同様に分岐用の同軸ケーブル１４ａ、１４ｂも、ベース１６、底板１７及びアース板１９に設けられた透孔２１に挿入され、アース板１９の上部に導出される。また、分岐用の各同軸ケーブル１４ａ、１４ｂの周囲にも、ベース１６の底部側にＯリング（図示せず）が設けられる。
【０００９】
上記ベース１６等にて保持される同軸ケーブル１３、１４ａ、１４ｂは、等角度で配置されるもので、この場合の例では正三角形の状態に配置される。
【００１０】
そして、上記２分配器１５内に導入された入出力用の同軸ケーブル１３の先端部に絶縁基部２３が設けられ、この絶縁基部２３の上部にプリント基板２４が配設される。上記入出力用の同軸ケーブル１３は、中心導体２６及び外導体２８がアース板１９及びプリント基板２４に接続されるが、この接続の詳細について図６を参照して説明する。
【００１１】
図６は、入出力用の同軸ケーブル１３とアース板１９及びプリント基板２４との接続部の詳細を示す断面図である。
【００１２】
入出力用の同軸ケーブル１３は、中心導体２６の外側に絶縁体２７を介して外導体２８が設けられ、この外導体２８の外側に外被２９が設けられている。入出力用の同軸ケーブル１３は、先端をアース板１９の前面側に突出させるが、先ず外被２９を所定長さアース板１９から突出させ、外被２９の先端及び外側にリング状の外導体取付基部３１を装着する。この外導体取付基部３１は、下部外側とアース板１９との間の外周全面（３６０°）をロー付けして強固に接続する。３２はこのロー付け部を示している。
【００１３】
次に、外導体取付基部３１より前方に所定長さ延在させた外導体２８の先端を折返して外導体取付基部３１の外側に位置させ、その外側に外導体押えリング３３を被せて外導体２８を固定し、更に、外導体押えリング３３の上端と外導体２８との外周全面を半田付けして強固に接続する。３４はこの半田付け部を示している。
【００１４】
そして、入出力用の同軸ケーブル１３の先端に位置している外導体２８の上に絶縁基部２３を介してプリント基板２４が配設される。入出力用の同軸ケーブル１３の中心導体２６は、絶縁基部２３及びプリント基板２４に設けられた透孔を介してプリント基板２４上に導出され、導出先端がプリント基板２４に沿って折曲げられる。上記中心導体２６の折曲げ部分をプリント基板２４上の線路に半田付けし、電気的に接続する。３５はこの半田付け部を示している。
【００１５】
また、分岐用の同軸ケーブル１４ａ、１４ｂにおいても、上記入出力用の同軸ケーブル１３と同様にして中心導体及び外導体がアース板１９及びプリント基板２４上の線路に接続される。
【００１６】
また、アース板１９には、図５に示すようにラグ端子３６がネジ３７により固定され、ラグ端子３６にコンデンサ３８ａ（３８ｂ）の一端が接続されて接地される。更に、プリント基板２４上には、高周波コイル３９が設けられ、上記コンデンサ３８ａ、３８ｂ、入出力用の同軸ケーブル１３及び分岐用の同軸ケーブル１４ａ、１４ｂに接続されて２分配回路が構成される。
【００１７】
そして、上記ベース１６の上部には、２分配回路を保護するカバー４１がネジ４２により固定される。この場合、ベース１６の外周中央部にＯリング４３が設けられる。
【特許文献１】特開２００５−１９８１８５号公報
【発明の開示】
【発明が解決しようとする課題】
【００１８】
上記のように構成された従来の通信用分配装置は、入出力用の同軸ケーブル１３及び分岐用の同軸ケーブル１４ａ、１４ｂをプリント基板２４やアース板１９に電気的に接続するために、同軸ケーブル１３、１４ａ、１４ｂの端末部分を加工する必要があり、また、ケーブルが外部からの強い引き抜き力に耐えるようにするために外導体取付基部３１及び外導体押えリング３３等を製作しなければならず、且つその組込みやロー付け加工、半田付け加工等も容易ではなく、非常に多くの加工や組込み時間を必要とし、また、完成したケーブル基部の外観も優れず、品質も信頼性も低いという問題があった。
【００１９】
本発明は上記の課題を解決するためになされたもので、品質が高く安価な部材を使用して同軸ケーブルを強固に分配器本体に固定でき、アース板部のロー付けや外導体の半田付けを不要とし、短時間で組立てが完了し、且つ外部からの同軸ケーブルの強い引き抜き力や回転力に対しても強固に耐えることができる品質の安定した通信用分配装置を提供することを目的とする。
【課題を解決するための手段】
【００２０】
第１の発明は、同軸ケーブル引出しタイプの通信用分配装置において、先端外側にネジ部が設けられたシェルを備え、前記同軸ケーブルの先端部に装着されて該同軸ケーブルの外導体と接続される同軸接栓構造の接続構体と、前記シェルの先端部が挿入される複数の構体装着穴を備えたケース本体と、前記ケース本体の構体装着穴に挿入されたシェル先端のネジ部に螺着され、前記接続構体を前記ケース本体に固定する固定ナットと、前記ケース本体と固定ナットとの間に介在して前記シェルの先端部に保持されるアース板と、前記ケース本体上に設けられ、前記シェル先端から導出された同軸ケーブルの中心導体が接続されるプリント基板と、前記プリント基板上に配設され、前記同軸ケーブルの中心導体及び前記プリント基板に接続されて分配回路を構成する回路部品と、前記ケース本体に装着されるカバーとを具備することを特徴とする。
【００２１】
第２の発明は、前記第１の発明に係る通信用分配装置において、前記接続構体は、シェルと、該シェル内に収納されるクランプ、ガスケット、座金及び前記シェルの開口部に螺着される押しナットにより構成され、前記シェル内に挿入される同軸ケーブルの外導体を前記シェルの内壁とクランプの間に介在させ、前記ガスケット及び座金を介して押しナットを螺着して固定することを特徴とする。
【００２２】
第３の発明は、前記第１又は第２の発明に係る通信用分配装置において、前記接続構体は、シェルの先端部に回り止め用のカット面を設けたことを特徴とする。
【発明の効果】
【００２３】
本発明によれば、同軸ケーブルの先端に接続構体を装着することにより、同軸ケーブルを分配器のケース本体に簡単に装着でき、且つ電気的接続も確実に行うことができる。また、接続構体は、接続基部となるシェル部分を分配器用として製作すれば良く、その他の部品は一般に市販されている標準化された高品質で安価な同軸接栓部品を組合わせて組込むことができるので、品質の安定した安価な部品構成で済み、製作効率を向上して納期を短縮することができる。また、同軸ケーブルの端末加工も、外導体部分のロー付けや半田付け加工等が不要となり、簡単な処理で確実にシェルに組込むことが可能となり、外部からの強いケーブル引き抜き力や回転力に確実に耐えることが可能である。
【発明を実施するための最良の形態】
【００２４】
以下、図面を参照して本発明の一実施形態を説明する。
【００２５】
図１は、本発明の一実施形態に係る同軸ケーブル引出しタイプの通信用分配装置の構成を示したもので、（ａ）は要部を断面して示す側面図、（ｂ）はカバーを外した状態を示す左側面図である。また、図１は信号を２分配する場合の例を示している。
【００２６】
図１において、５１は合成側の入出力接栓、５２ａ、５２ｂは分岐側の入出力接栓で、それぞれ入出力用の同軸ケーブル５３、分岐用の同軸ケーブル５４ａ、５４ｂを介して分配器５７に接続される。
【００２７】
この場合、同軸ケーブル５３、５４ａ、５４ｂは、先端部分に同軸接栓構造の接続構体５５、５６ａ、５６ｂを装着し、この接続構体５５、５６ａ、５６ｂを分配器５７のケース本体５８に装着できるようにする。
【００２８】
上記同軸接栓構造の接続構体５５は、図２に示すように複数の構成部品からなっている。また、他の接続構体５６ａ、５６ｂは、接続構体５５と同様の構成であるので、詳細な説明は省略する。
【００２９】
図２は上記接続構体５５の構成部品を分解して示したもので、（ａ）は各構成部品の一部を断面して示す側面図、（ｂ）は（ａ）におけるシェル６５の正面図、（ｃ）は（ａ）における固定ナット６６の正面図である。
【００３０】
接続構体５５は、図２に示すように押しナット６１、座金６２、ガスケット６３、クランプ６４、シェル６５、固定ナット６６により構成され、上記押しナット６１、座金６２、クランプ６４、シェル６５、固定ナット６６としては金属が用いられる。
【００３１】
押しナット６１は、鍔部６１ａと雄ネジ部６１ｂを備え、鍔部６１ａに両側部をカットしたスパナ掛け部６１ｃが設けられる。
【００３２】
座金６２は、ガスケット６３の潰れを均一にする作用を有している。
【００３３】
ガスケット６３は、弾力性部材例えば合成ゴムによりリング状に形成され、防水作用と外被７４を締め付けて、外部よりの引き抜き力に対しての保持力を有している。
【００３４】
クランプ６４は、内径の大きい大径部６４ａと内径の小さい小径部６４ｂからなり、大径部６４ａの開口部外側に鍔部６４ｃが形成され、小径部６４ｂの外側に先端が細くなるようにテーパ部６４ｄが形成される。上記大径部６４ａと小径部６４ｂの内側には、その境界部分に段差部６４ｅが設けられる。
【００３５】
上記押しナット６１、座金６２、ガスケット６３及びクランプ６４の大径部６４ａの内径は、図３に示すように同軸ケーブル５３を挿入できる大きさに設定される。また、クランプ６４における小径部６４ｂの内径は、同軸ケーブル５３の外被７４を除いた外導体７３部分を挿入できる大きさに設定される。すなわち、クランプ６４の大径部６４ａに入出力用の同軸ケーブル５３を挿入した場合、外被７４の先端が大径部６４ａと小径部６４ｂとの段差部６４ｅに当接して停止するようになっている。
【００３６】
シェル６５は、シェル本体６５ａの先端側に該シェル本体６５ａより小径で所定長さの連結部６５ｂが設けられ、シェル本体６５ａの開口部内側に雌ネジ部６５ｃが形成され、連結部６５ｂの先端外側に雄ネジ部６５ｄが形成される。また、シェル本体６５ａには、内側の奥部、すなわち連結部６５ｂ側に先端側が細くなるようにテーパ部６５ｅが形成される。
【００３７】
また、シェル本体６５ａの外側には、連結部６５ｂに近接してスパナ掛け部６５ｆが設けられる。更に、シェル６５の連結部６５ｂには、図２（ｃ）に示すように両側にカット面６５ｇが設けられて略小判形状に形成される。上記カット面６５ｇは、接続構体５５が分配器５７のケース本体５８に装着された場合に回り止めの作用を有し、外部からのケーブル回転力に耐えられるようになっている。
【００３８】
上記シェル６５のシェル本体６５ａ内には、クランプ６４、ガスケット６３、座金６２の順に収納され、その後、シェル本体６５ａの雌ネジ部６５ｃに押しナット６１の雄ネジ部６１ｂが螺着される。
【００３９】
上記シェル６５は、連結部６５ｂの内径が図３に示すように入出力用の同軸ケーブル５３の外導体７３及び外被７４を除く絶縁体７２部分が挿入できる大きさに設定される。
【００４０】
また、上記連結部６５ｂの雄ネジ部６５ｄには、固定ナット６６が螺着される。この固定ナット６６には、両側部にスパナ掛け部６６ａが設けられる。
【００４１】
上記のように接続構体５５は、同軸接栓構造となっており、押しナット６１、座金６２、ガスケット６３、クランプ６４は、従来から市販されている標準化された同軸接栓部品を使用できるものであり、シェル６５を上記押しナット６１、座金６２、ガスケット６３及びクランプ６４に合う構造及び寸法に設定すればよい。
【００４２】
次に、上記のように構成された接続構体５５を入出力用の同軸ケーブル５３の先端部に装着する場合の処理について図３を参照して説明する。図３は、入出力用の同軸ケーブル５３の先端部に接続構体５５を装着した場合の状態を一部断面して示す側面図である。
【００４３】
入出力用の同軸ケーブル５３は、中心導体７１の外側に絶縁体７２を介して外導体７３が設けられ、この外導体７３の外側に外被７４が設けられている。上記外導体７３は、細い金属線例えば銅線を用いた編組線構成となっている。
【００４４】
入出力用の同軸ケーブル５３の先端部に接続構体５５を装着する場合、予め入出力用の同軸ケーブル５３の先端を加工し、中心導体７１の先端を絶縁体７２より所定長さ突出させると共に、外導体７３の先端を絶縁体７２の先端より所定長さ短くする。また、外被７４の先端部を外導体７３の先端より短くして外導体７３の先端部を所定長さ外部に露出させる。
【００４５】
そして、上記入出力用の同軸ケーブル５３の先端部に押しナット６１、座金６２、ガスケット６３、クランプ６４、及びシェル６５の順に挿着し、外被７４の先端をクランプ６４内の大径部６４ａと小径部６４ｂとの間の段差部６４ｅに当接させ、外導体７３の先端をクランプ６４の外側に沿って折返す。この状態で、外導体７３及びクランプ６４をシェル６５のシェル本体６５ａ内に挿入すると共にガスケット６３及び座金６２をシェル６５のシェル本体６５ａ内に挿入し、その後、シェル本体６５ａに押しナット６１を螺着して固定する。すなわち、外導体７３の先端折返し部をクランプ６４とシェル６５との間に挟み込み、外導体７３とシェル６５との電気的接続を確実にすると共に、外部からの入出力用の同軸ケーブル引き抜き力に耐えられるようにしている。
【００４６】
上記のように入出力用の同軸ケーブル５３の先端に接続構体５５を装着した状態では、シェル６５の連結部６５ｂ内に入出力用の同軸ケーブル５３の絶縁体７２が挿入され、シェル６５の先端から入出力用の同軸ケーブル５３の絶縁体７２及び中心導体７１がそれぞれ所定長さ導出される。
【００４７】
なお、上記入出力用の同軸ケーブル５３と押しナット６１及びシェル６５の接合部分の外側には、熱収縮性樹脂からなるチューブを被せ、防水性を持たせるようにしても良い。上記チューブは必要に応じて設ければよく、特に使用しなくてもよい。
【００４８】
一方、分岐用の同軸ケーブル５４ａ、５４ｂの先端部にも、上記接続構体５５と同様に構成された接続構体５６ａ、５６ｂが装着される。
【００４９】
そして、上記同軸ケーブル５３、５４ａ、５４ｂは、図１に示すように接続構体５５、５６ａ、５６ｂを介して分配器５７のケース本体５８に装着される。
【００５０】
ケース本体５８は、円形の金属板の外周を下方に所定長さ折曲げて円筒状に形成されている。上記ケース本体５８には、接続構体５５、５６ａ、５６ｂを構成するシェル６５の連結部６５ｂを挿入するための構体装着穴が設けられている。この構体装着穴はシェル連結部６５ｂの外部形状に合わせて小判形状に形成され、連結部６５ｂが挿入された際、連結部６５ｂのカット面６５ｇによって回転を阻止し、外部からのケーブル回転力に対して確実に耐えられる構成となっている。
【００５１】
また、上記ケース本体５８に設けられる構体装着穴は、略等角度で設けられ、２分配器の場合は三角形状となる位置に設定される。
【００５２】
また、ケース本体５８には、側部下方に壁面取付金具５９が一体に設けられると共に、上面側より金属製のカバー６０が外周面に圧入されて装着される。上記カバー６０は、ケース本体５８の外周面に圧入した後、下側先端を例えば３個所、１２０°の間隔でケース本体５８の下側にカシメを行って固定する。
【００５３】
次に、入出力用の同軸ケーブル５３に装着された接続構体５５をケース本体５８に接続する場合の処理について説明する。接続構体５５をケース本体５８に接続する際、シェル６５の先端部、すなわち連結部６５ｂに防水用のシールワッシャ８１を介在させ、同軸ケーブル５３の中心導体７１及び絶縁体７２と共にケース本体５８の構体装着穴内に挿入する。そして、ケース本体５８上に突出させたシェル６５の先端部に更に平座金８２を介在してアース板８３を挿着する。このアース板８３には、ケース本体５８の構体装着穴に対応して３つの挿入穴が設けられており、この穴内にシェル６５の先端部を挿入する。上記アース板８３の上側に突出させたシェル６５の先端部、すなわち連結部６５ｂに座金８４を介在して固定ナット６６を螺着し、締め付けて固定する。
【００５４】
上記のようにシェル６５の先端部にシールワッシャ８１を介在させてケース本体５８の構体装着穴内に挿入し、その挿入先端部に平座金８２、アース板８３、座金８４を介在して固定ナット６６により固定することで、シェル６５をケース本体５８に確実に固定できると共に、ケース本体５８とアース板８３との電気的接続を確実に行うことができる。
【００５５】
そして、上記シェル６５の先端から突出している入出力用の同軸ケーブル５３の絶縁体７２上にプリント基板８５を配置し、このプリント基板８５に設けられている透孔内に中心導体７１を挿入して前面側に導出し、その導出先端部をプリント基板８５に沿って折曲げ、その折曲げ部をプリント基板８５上の線路に半田付けする。上記のようにシェル６５の先端から同軸ケーブル５３の絶縁体７２を所定長さ突出させることにより、プリント基板８５がシェル６５にショートすることなく組み込めるようになっている。
【００５６】
また、分岐用の同軸ケーブル５４ａ、５４ｂにおいても、上記入出力用の同軸ケーブル５３と同様にして接続構体５６ａ、５６ｂを介して分配器５７のケース本体５８に装着され、中心導体７１がプリント基板８５上の線路に接続される。
【００５７】
上記プリント基板８５上には、図示しないが高周波コイル及びコンデンサが配設され、入出力用の同軸ケーブル５３及び分岐用の同軸ケーブル５４ａ、５４ｂの中心導体、アース板８３に接続され、図４に示すような２分配回路が構成される。そして、上記分配器５７は、各部品の配設及び接続完了後にケース本体５８上にカバー６０を装着して組立てを完了する。この場合、カバー６０は、上記したようにケース本体５８に圧着し、更に先端の複数個所をカシメ処理して固定する。
【００５８】
図４は上記２分配回路の一例を示したものである。
【００５９】
図４において、９１は入出力用の同軸ケーブル５３が接続される入出力端子で、この入出力端子９１と接地間にコンデンサ９２が設けられる。また、上記入出力端子９１は、高周波コイル９３を介して分配端子９４ａ、９４ｂに接続されると共に、更にコンデンサ９５を介して接地される。上記分配端子９４ａ、９４ｂには、分岐用の同軸ケーブル５４ａ、５４ｂが接続される。
【００６０】
上記の構成において、入出力端子９１には例えば送信機から出力される送信信号が入出力用の同軸ケーブル５３を介して入力される。上記入出力端子９１に入力された信号は、高周波コイル９３を介して分配端子９４ａ、９４ｂへ送られ、この分配端子９４ａ、９４ｂから同軸ケーブル５４ａ、５４ｂを介してアンテナの給電部へ送られる。
【００６１】
上記実施形態によれば、入出力用の同軸ケーブル５３及び分岐用の同軸ケーブル５４ａ、５４ｂの先端に接続構体５５、５６ａ、５６ｂを装着することにより、同軸ケーブル５３、５４ａ、５４ｂを分配器５７のケース本体５８に簡単に装着できると共に電気的接続も確実に行うことができ、且つ小形化及び軽量化が可能である。
【００６２】
上記接続構体５５、５６ａ、５６ｂは、接続基部となるシェル６５だけを分配器用として製作すれば良く、その他の部品は一般に市販されている標準化された高品質で安価な同軸接栓部品を組合わせて組込むことができるので、品質の安定した安価な部品構成で済み、製作効率を向上して納期を短縮することができる。また、同軸ケーブル５３、５４ａ、５４ｂの端末加工も、外導体７３のロー付けや半田付け加工等が不要となり、熟練を必要とせず、簡単な処理でシェル６５に組込むことが可能となり、屋外の高所での分配器取付け作業も容易であり、且つ外部からの強いケーブル引き抜き力や回転力に確実に耐えることができる。
【００６３】
また、分配器５７のケース本体５８に例えばシールワッシャ８１等を介して接続構体５５を装着すると共に、カバー６０をケース本体５８に圧入固定するようにしているので、外部から分配器５７内への雨水の侵入を確実に防止でき、Ｏリング加工等を各部品に施すことなく簡単に防水構造とすることができる。
【００６４】
また、分配器５７内に多少の雨水の侵入が許容されるタイプの場合は、ケース本体５８に小さな水抜き穴を１〜４個所程度設けて水抜き構造とすることにより、防水用のシールワッシャ８１等を廃止し、また、ケース本体５８とカバー６０の圧入誤差や製作誤差を緩めることも可能である。
【００６５】
なお、上記実施形態では、２分配装置に実施した場合について示したが、その他、３分配装置、４分配装置、…等においても同様にして実施し得るものである。
【００６６】
また、上記実施形態では、シェル６５の連結部６５ｂに２つのカット面６５ｆを設けて小判形状に形成した場合について示したが、１つのカット面６５ｆを設けてＤ形の形状に形成しても、外部の回転力に対して回り止めの作用を持たせることができる。
【００６７】
また、本発明は、上記実施形態そのままに限定されるものではなく、実施段階ではその要旨を逸脱しない範囲で構成要素を変形して具体化できるものである。
【図面の簡単な説明】
【００６８】
【図１】本発明の一実施形態に係る通信用分配装置の構成を示し、（ａ）は要部を断面して示す側面図、（ｂ）はカバーを外した状態を示す左側面図である。
【図２】同実施形態における接続構体の構成部品を分解して示す図である。
【図３】同実施形態における入出力用の同軸ケーブルの先端部に接続構体を装着した場合の状態を一部断面して示す側面図である。
【図４】２分配回路の一例を示す回路構成図である。
【図５】従来の通信用分配装置の構成例を示し、（ａ）は要部を断面して示す側面図、（ｂ）は（ａ）におけるＡ−Ａ線矢視断面図である。
【図６】図５における入出力の同軸ケーブルとアース板及びプリント基板との接続部の詳細を示す断面図である。
【符号の説明】
【００６９】
５１、５２ａ、５２ｂ…入出力接栓、５３…入出力用の同軸ケーブル、５４ａ、５４ｂ…分岐用の同軸ケーブル、５５、５６ａ、５６ｂ…接続構体、５７…分配器、５８…ケース本体、５９…壁面取付金具、６０…カバー、６１…押しナット、６１ａ…押しナットの鍔部、６１ｂ…押しナットの雄ネジ部、６２…座金、６３…ガスケット、６４…クランプ、６４ａ…クランプの大径部、６４ｂ…クランプの小径部、６４ｃ…クランプの鍔部、６４ｄ…クランプのテーパ部、６４ｅ…クランプの段差部、６５…シェル、６５ａ…シェル本体、６５ｂ…シェルの連結部、６５ｃ…シェル本体の雌ネジ部、６５ｄ…シェル連結部の雄ネジ部、６５ｅ…シェル本体のテーパ部、６５ｆ…スパナ掛け部、６５ｇ…カット面、６６…固定ナット、６６ａ…固定ナットのスパナ掛け部、７１…入出力用の同軸ケーブルの中心導体、７２…入出力用の同軸ケーブルの絶縁体、７３…入出力用の同軸ケーブルの外導体、７４…入出力用の同軸ケーブルの外被、８１…シールワッシャ、８２…平座金、８３…アース板、８４…座金、８５…プリント基板、９１…入出力端子、９２…コンデンサ、９３…高周波コイル、９４ａ、９４ｂ…分配端子、９５…コンデンサ。
【図１】
0004856050.tif 000002
【図２】
0004856050.tif 000003
【図３】
0004856050.tif 000004
【図４】
0004856050.tif 000005
【図５】
0004856050.tif 000006
【図６】
0004856050.tif 000007